【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
１つの吹き出し口（４）から吹き出される風の向きを、前記吹き出し口から離れた操作部（２）により調整でき、かつ、前記吹き出し口から吹き出される風の向きを調整する機構（１１４、１１５、１１６、１１７）が前記吹き出し口よりも前記風の流路の上流側に位置しており、前記吹き出し口から吹き出される風の集中拡散度合いを調整する機能を備えている車両用空調装置（１）とともに用いられ、
車両の車室において運転席から視認可能な位置に設置された表示部（５２）と、
前記表示部に、前記吹き出し口から吹き出される風の向きを表示する表示制御部（５１）とを備え、
前記表示制御部は、前記表示部に、車両の車室を三次元的に表す車室画像（７）を表示するとともに、前記車両用空調装置が空調を行っている領域に対応する前記車室画像内の位置に、前記車両用空調装置が行っている空調の状態を示す空調画像（８、９）を重畳表示するものであって、前記車室画像に、前記空調画像として、前記吹き出し口またはその付近から前記風の吹き出される向きに延びる風情報画像を重畳表示し、前記風情報画像は、前記集中拡散度合いに応じて幅が変化することを特徴とする車両空調用表示装置。
【請求項２】
請求項１において、
前記車両用空調装置は、前記吹き出し口から吹き出される風量を調整する機能を備え、
前記風情報画像は、前記風量に応じて長さが変化することを特徴とする車両空調用表示装置。
【請求項３】
請求項１または２において、
前記車両用空調装置は、吹き出す風の向きが前記操作部により調整される前記吹き出し口を複数備え、
前記表示制御部は、前記車室画像に、複数の前記吹き出し口から吹き出される風に対応する複数の前記風情報画像を重畳表示することを特徴とする車両空調用表示装置。
【請求項４】
請求項１〜３のいずれか１項において、
前記空調画像は、前記車両用空調装置が行っている空調の温度に応じた色で表示されることを特徴とする車両空調用表示装置。
【請求項５】
請求項１〜４のいずれか１項において、
前記表示部は、前記車室において、前記操作部よりも前方に設置されていることを特徴とする車両空調用表示装置。
【請求項６】
請求項１〜３のいずれか１項において、
前記車両用空調装置は、前記吹き出し口から吹き出される風の向きを、前記車両の前席乗員の顔およびその周辺を含むエリアである顔周辺エリアの一部を選択したエリアに向かう向きとすることができ、
前記車室画像は、前記車室を、前記車室の斜め後方の上方より見た三次元画像であり、
前記表示制御部は、前記車室画像に加えて、前記車両の正面から見た前記前席乗員の顔を表す画像を含んでいる顔周辺エリア画像（１０、２１０）に、前記顔周辺エリアにおいて前記吹き出し口から吹き出される風が向かう方向を表す風向き図形（１０３）を重畳した画像を、前記表示部に表示することを特徴とする車両空調用表示装置。
【請求項７】
１つの吹き出し口（４）から吹き出される風の向きを、前記吹き出し口から離れた操作部（２）により調整でき、かつ、前記吹き出し口から吹き出される風の向きを調整する機構（１１４、１１５、１１６、１１７）が前記吹き出し口よりも前記風の流路の上流側に位置しており、前記吹き出し口から吹き出される風の向きを、車両の前席乗員の顔およびその周辺を含むエリアである顔周辺エリアの一部を選択したエリアに向かう向きとすることができる車両用空調装置（１）とともに用いられ、
車両の車室において運転席から視認可能な位置に設置された表示部（５２）と、
前記表示部に、前記吹き出し口から吹き出される風の向きを表示する表示制御部（５１）とを備え、
前記表示制御部は、前記車両の正面から見た前記前席乗員の顔を表す画像を含んでいる顔周辺エリア画像（１０、２１０）に、前記顔周辺エリアにおいて前記吹き出し口から吹き出される風が向かう方向を表す風向き図形（１０３）を重畳した画像を、前記表示部に表示することを特徴とする車両空調用表示装置。
【請求項８】
請求項７において、
前記表示制御部は、前記顔周辺エリア画像に前記風向き図形（１０３）を重畳した画像を、前記表示部に表示することに加えて、前記表示部に、車両の車室を前記車室の斜め後方の上方より見て三次元的に表す車室画像（７）を表示するとともに、前記車両用空調装置が空調を行っている領域に対応する前記車室画像内の位置に、前記車両用空調装置が行っている空調の状態を示す空調画像（８、９）を重畳表示するものであり、前記空調画像として、前記吹き出し口またはその付近から前記風の吹き出される向きに延びる風情報画像を表示することを特徴とする車両空調用表示装置。
【請求項９】
請求項８において、
前記車両用空調装置は、前記吹き出し口から吹き出される風量を調整する機能を備え、
前記風情報画像は、前記風量に応じて長さが変化することを特徴とする車両空調用表示装置。
【請求項１０】
請求項８または９において、
前記車両用空調装置は、前記吹き出し口から吹き出される風の集中拡散度合いを調整する機能を備え、
前記風情報画像は、前記集中拡散度合いに応じて幅が変化することを特徴とする車両空調用表示装置。
【請求項１１】
請求項８〜１０のいずれか１項において、
前記車両用空調装置は、吹き出す風の向きが前記操作部により調整される前記吹き出し口を複数備え、
前記表示制御部は、前記車室画像に、複数の前記吹き出し口から吹き出される風に対応する複数の前記風情報画像を重畳表示することを特徴とする車両空調用表示装置。
【請求項１２】
請求項６または１１において、
前記車両に、前記前席乗員の顔位置を検出する顔位置認識装置（６）が備えられ、
前記表示制御部は、前記顔周辺エリア画像内における前記前席乗員の顔を表す画像の位置を、前記顔位置認識装置が検出した前記前席乗員の顔位置に応じて移動させることを特徴とする車両空調用表示装置。
【手続補正２】
【補正対象書類名】明細書
【補正対象項目名】００１１
【補正方法】変更
【補正の内容】
【００１１】
上記目的を達成するための第１発明は、１つの吹き出し口（４）から吹き出される風の向きを、吹き出し口から離れた操作部（２）により調整でき、かつ、吹き出し口から吹き出される風の向きを調整する機構（１４、１５、１６、１７）が吹き出し口よりも風の流路の上流側に位置しており、吹き出し口から吹き出される風の集中拡散度合いを調整する機能を備えている車両用空調装置（１）とともに用いられ、車両の車室において運転席から視認可能な位置に設置された表示部（５２）と、表示部に、吹き出し口から吹き出される風の向きを表示する表示制御部（５１）とを備え、表示制御部は、表示部に、車両の車室を三次元的に表す車室画像（７）を表示するとともに、車両用空調装置が空調を行っている領域に対応する車室画像内の位置に、車両用空調装置が行っている空調の状態を示す空調画像（８、９）を重畳表示するものであって、車室画像に、空調画像として、吹き出し口またはその付近から風の吹き出される向きに延びる風情報画像を重畳表示し、風情報画像は、集中拡散度合いに応じて幅が変化することを特徴とする車両空調用表示装置である。
第２発明は、１つの吹き出し口（４）から吹き出される風の向きを、吹き出し口から離れた操作部（２）により調整でき、かつ、吹き出し口から吹き出される風の向きを調整する機構（１１４、１１５、１１６、１１７）が吹き出し口よりも風の流路の上流側に位置しており、吹き出し口から吹き出される風の向きを、車両の前席乗員の顔およびその周辺を含むエリアである顔周辺エリアの一部を選択したエリアに向かう向きとすることができる車両用空調装置（１）とともに用いられ、車両の車室において運転席から視認可能な位置に設置された表示部（５２）と、表示部に、吹き出し口から吹き出される風の向きを表示する表示制御部（５１）とを備え、表示制御部は、車両の正面から見た前席乗員の顔を表す画像を含んでいる顔周辺エリア画像（１０、２１０）に、顔周辺エリアにおいて吹き出し口から吹き出される風が向かう方向を表す風向き図形（１０３）を重畳した画像を、表示部に表示することを特徴とする車両空調用表示装置である。